(57)【要約】【課題】  高度な廃棄物浄化能力をもつ好気性微生物を最もシンプルな形で省エネ的に活用させ得る廃棄物無害化装置を提供する。【解決手段】  泥状の被処理物Ａを収容する槽１と、槽１の底部に設置した多数の空気噴出用貫通孔２を有する中空体３と、中空体３の中に空気を圧送する空気圧送装置４とを、主要部として具備させるものとする。  また必要に応じその被処理物Ａを収容する槽１を複数とし、各槽は泥状の被処理物Ａが通過可能な仕切壁５で仕切られて互いに連結されたような形態にする。【選択図】    図１
0003102182.tif 000002
【実用新案登録請求の範囲】
【請求項１】
泥水状の被処理物を収容する槽と、該槽の底部に設置した多数の空気噴出用貫通孔を有する中空体と、該中空体の中に空気を圧送する空気圧送装置とを、主要部として備えたことを特徴とする好気性微生物による廃棄物処理装置。
【請求項２】
泥水状の被処理物を収容する槽が複数より成り、各槽は泥水状の被処理物が通過可能な仕切壁で仕切られて互いに連結している請求項１記載の好気性微生物による廃棄物処理装置。
【考案の詳細な説明】
【技術分野】
【０００１】  この考案は、ある種の好気性微生物を用いて生ごみや焼却灰等の廃棄物を無害化処理するための廃棄物処理装置に関する。
【背景技術】
【０００２】  毎日大量に生じる廃棄物を人間生活の妨げにならないように処理するために、焼却、埋め立て、リサイクル、化学処理、微生物処理など、様々な手段が講じられていることは周知の通りである。そのなかでも微生物による処理方法はきわめて省エネ的であって二次公害を生むおそれも少なく、処理生成物が堆肥になったり自然のエコロジーにかなうなど、理想的な形態になる場合が多い。【０００３】  またその微生物の種類及び組合せの多様性は甚大であり、今日では既に、生ごみや糞尿等を速やかに消失ないし低分子化させるばかりか、焼却灰中に含まれる有害物を無害化するものすら発見されている。【０００４】  従来の微生物による処理方式ではいわゆる下水道設備にあるような微生物着床担体に撹拌曝気装置を組み合わせたものなどが知られている。
【考案の開示】
【考案が解決しようとする課題】
【０００５】  このような現状において、実際にこれをより効果的に実用化させるためには未だ様々な課題が残されている。すなわち最近開発された微生物群のなかには、驚異的な廃棄物無害化能力をもつ一方、これをより小回りのきく形で管理することを要するものもあり、それに適したシンプルな装置を具体化させる必要性が残されていた。本考案はこれを具体的に提供することを課題とする。
【課題を解決するための手段】
【０００６】  泥水状の被処理物Ａを収容する槽１と、槽１の底部に設置した多数の空気噴出用貫通孔２を有する中空体３と、中空体３の中に空気を圧送する空気圧送装置４とを、主要部として具備させるものとする。【０００７】  また必要に応じ、その被処理物Ａを収容する槽１を複数とし、各槽は泥水状の被処理物Ａが通過可能な仕切壁５で仕切られて互いに連結されたような形態にすることが好ましい。【０００８】  被処理物Ａとは、好気性微生物の代謝活動によって無害化など好ましい方向に変化させうる廃棄物類をいう。これが本考案を構成する槽１内に収められて処理されるために、必要に応じ水を加え、或いはディスポーザ等で粉砕して泥水状物とする。【０００９】  中空体３の形状は特に問わないが、コストや設置のし易さなどから、パイプ状のものが望ましい。その片端を塞ぎ、他端に空気圧送装置４すなわちコンプレッサーを接続すれば、側壁に設けられた空気噴出用貫通孔２より気泡が噴出する。【００１０】  なお被処理物Ａの質や量によっては槽１を複数、並列状に設け、その境界を泥水状材料通過性の仕切壁５で仕切った方が好適になることがある。その仕切壁５が泥水状材料通過性であるためには、遮断性の壁に貫通孔やくびれを設けるか、或いは壁の素材自体が例えば多重網ないし立体網目材料であればよい。またそのようにその形態がシートないしカーテン状になってもこれを「壁」と称するものとする。
【考案の効果】
【００１１】  本考案によれば、駆動部分を全く有することなく被処理物の曝気と撹拌を同時に行うことができる。すなわち、中空体３に圧送された空気は空気噴出用貫通孔２より気泡となって噴出し、その気泡は浮力を伴って上方に移行するから、それが泥水状の被処理物Ａに接触（曝気）しつつ撹拌することになる。【００１２】  従って、硬質の羽等で撹拌する場合と異なり微妙な連携プレイをしている微生物群の働きを損なう憂いも少なく、甚だマイルドかつ省エネ的である。また必要に応じ槽１の追加或いは削除が容易に行えるなどの効果がある。
【考案を実施するための最良の形態】
【００１３】  本考案の最良の形態は、最も省力的かつ高効率に大量処理できるものであり、しかも有害な二次排出物を極力無くした自己完結型のものである。そのような実施形態の例を畜舎における排水処理フロー図を図２に示した。またその場合の槽部の概略平面図を図３に示した。
【実施例】
【００１４】  養豚場における糞尿処理のために、図２のようなフローに従い、図３のように各槽を配置する。それぞれの槽はおよそ縦３ｍ、横４ｍ、高さ３．５ｍであり、特殊処理コンクリートで形成される。各槽間における仕切壁５は約３〜５ｍｍメッシュパス程度の荒目のナイロン網を必要に応じ何枚も重ねるか、或いは立体網目構造のマットを用いる。【００１６】  図３において曝気機能をもたせる３つの槽１の底部には直径２〜３ｍｍの無数の貫通孔を有するパイプが蛇行状に配置され、その入口端にはコンプレッサーが接続される（図示せず）。【００１７】  糞尿など被処理物は先ず原水槽に投入され、スクリーン６で大きな固形物を篩分けして流量調整槽に移行する。そこで処理水槽からの希釈水や汚泥分解槽からの分離水を供給されて、上記の曝気機能をもち仕切壁５で仕切られた槽１に移行する。被処理物内には予め当目的のために開発された好気性微生物が混入されているから、時間とともにそれは急速に変化して無害化し、貫通孔付き中空体を配置しない沈殿槽に移行して後は比重差により汚泥と上澄水とに分離する。その汚泥は汚泥分解槽に移って更に分解処理され、その分解分離水を前記のように返送還流させ、一方、上澄水は処理水槽を経て一部を希釈水や洗浄水に使い、他を放流させるものとする。このようなプロセスにおいて被処理物を槽間移行させる手段のひとつとして、空気圧送する槽１の上に蓋をしてその圧力上昇により仕切壁５を強制通過させるという方法がある。なお本考案はこのような使い方に限定されるものでないということは言うまでもない。
【産業上の利用可能性】
【００１８】  本考案の装置で用いられる好気性微生物は既に甚だ高機能のものが開発されており、これを実施するのに最も適した本考案の装置は製造或いはコスト上の難点もなく、甚だ省エネで耐久性があり、環境上のメリットも甚大であることから、産業上の利用可能性は十分である。
【図面の簡単な説明】
【００１９】
【図１】本考案一例の断面図
【図２】本考案一実施におけるフロー図
【図３】本考案一実施における槽部の平面図
【符号の説明】
Ａ……泥状の被処理物        １……槽        ２……空気噴出用貫通孔
３……中空体        ４……空気圧送装置        ５……仕切壁
６……スクリーン
【図１】
0003102182.tif 000003
【図２】
0003102182.tif 000004
【図３】
0003102182.tif 000005